(57)【要約】通信システムに使用する方法、通信システム、及び通信システムのためのベースステーションが開示される。上記方法において、ベースステーションと通信するときに通信チャンネルを共用するユーザ装置に対して共通のデータレートターゲットが定義される。ユーザ装置と上記ステーションとの間の通信に使用される平均送信電力が定義される。上記ユーザ装置に割り当てられるデータレートは、その決定された平均送信電力と共通のデータレートターゲットの情報に基づいて設定される。
2004515151.tif 000002
【特許請求の範囲】
【請求項１】
通信システムのステーションと通信するときに通信チャンネルを共用するユーザ装置に対して共通データレートターゲットを定義し、
ユーザ装置と上記ステーションとの間の通信に使用される平均送信電力を決定し、そして
その決定された平均送信電力及び上記共通データレートターゲットの情報に基づいて上記ユーザ装置に対して割り当てられるデータレートを設定する、
という段階を備えた通信システムにおける方法。
【請求項２】
上記割り当てられるデータレートは、上記ユーザ装置とステーションとの間の距離に依存し、この距離は、上記決定された平均電力に基づいて決定される請求項１に記載の方法。
【請求項３】
上記依存性は、上記ユーザ装置が別のユーザ装置よりも上記ステーションに接近して配置された場合に、その離れた方のユーザ装置より高いデータレートが上記ユーザ装置に与えられるというものである請求項２に記載の方法。
【請求項４】
ベースステーションに実質的に接近していると決定されたユーザ装置には、上記共通のデータレートターゲットであるか又はその共通データレートターゲットに実質的に接近したデータレートが与えられる請求項２又は３に記載の方法。
【請求項５】
上記平均電力は、上記ユーザ装置により使用される通信チャンネルに関連する専用チャンネルに関連した情報に基づいて決定される請求項１ないし４のいずれかに記載の方法。
【請求項６】
上記専用チャンネルは、専用の物理的制御チャンネル、専用の物理的データチャンネル、共通のパイロット信号チャンネルの中から選択される請求項５に記載の方法。
【請求項７】
上記平均電力は、パーチチャンネルに関連した情報に基づいて決定される請求項１ないし４のいずれかに記載の方法。
【請求項８】
上記情報は、上記チャンネルの電力を含む請求項５ないし７のいずれかに記載の方法。
【請求項９】
上記データレートターゲットは、ネットワークがプランニング又はアップグレードされるときに定義される請求項１ないし８のいずれかに記載の方法。
【請求項１０】
上記データレートターゲットは、適応性である請求項１ないし９のいずれかに記載の方法。
【請求項１１】
上記データレートターゲットは、上記ステーションの容量に関する情報に基づいて適応される請求項１０に記載の方法。
【請求項１２】
上記データレートターゲットの適応は、規定の間隔で行われる請求項１０又は１１に記載の方法。
【請求項１３】
上記データレートターゲットは、その適応が許されるまで所定数のフレームに対して一定に保たれる請求項１２に記載の方法。
【請求項１４】
上記平均電力は、ダウンリンク方向の平均電力である請求項１ないし１３のいずれかに記載の方法。
【請求項１５】
上記平均電力は、アップリンク方向の平均電力である請求項１ないし１４のいずれかに記載の方法。
【請求項１６】
上記データレートは、上記ステーションのコントローラにより調整される請求項１ないし１５のいずれかに記載の方法。
【請求項１７】
上記データレートは、上記ユーザ装置のコントローラにより調整される請求項１ないし１６のいずれかに記載の方法。
【請求項１８】
上記ステーションは、セルラーシステムのベースステーションであり、そして上記ユーザ装置は、ワイヤレスインターフェイスを経てそのベースステーションと通信することのできるトランシーバステーションである請求項１ないし１７のいずれかに記載の方法。
【請求項１９】
上記セルラーシステムは、コード分割多重アクセスを使用する請求項１８に記載の方法。
【請求項２０】
上記平均送信電力は、上記ベースステーションが上記トランシーバステーションに向けて送信する平均送信電力に基づいて決定される請求項１８又は１９のいずれかに記載の方法。
【請求項２１】
上記平均送信電力は、上記ベースステーション又はトランシーバステーションが受信する平均電力に基づいて決定される請求項１８又は１９に記載の方法。
【請求項２２】
ステーションと、
他のユーザ装置と共用する少なくとも１つの通信チャンネルを経て上記ステーションと通信することのできるユーザ装置と、
上記少なくとも１つの共用通信チャンネルを使用する全てのユーザ装置に対して共通のデータレートターゲットを定義するための制御手段と、
上記ユーザ装置と上記ステーションとの間の通信に使用される平均電力を決定するための手段と、
その決定された平均電力及び上記共通のデータレートターゲットの情報に基づき上記ユーザ装置に対して与えられるべきデータレートを割り当てるための制御手段と、
を備えた通信システム。
【請求項２３】
上記データレートを割り当てるための制御手段は、上記ユーザ装置とステーションとの間の距離に基づいてデータレートを設定するように構成され、この距離は、上記決定された平均電力に基づいて決定される請求項２２に記載の通信システム。
【請求項２４】
上記データレートは、上記ステーションのコントローラによって調整される請求項２２又は２３に記載の通信システム。
【請求項２５】
上記データレートは、上記ユーザ装置のコントローラによって調整される請求項２２ないし２４のいずれかに記載の通信システム。
【請求項２６】
上記ステーションは、セルラーシステムのベースステーションであり、そして上記ユーザ装置は、ワイヤレスインターフェイスを経てそのベースステーションと通信することのできるトランシーバステーションである請求項２２ないし２５のいずれかに記載の通信システム。
【請求項２７】
少なくとも２つのユーザ装置で共用される少なくとも１つの通信チャンネルを経てユーザ装置に向かって送信するための送信手段と、
上記少なくとも１つの共用通信チャンネルを使用する全てのユーザ装置に対して共通のデータレートターゲットを定義するための制御手段と、
上記ユーザ装置に向かって通信するのに使用される平均電力を決定するための手段と、
その決定された平均電力及び上記共通のデータレートターゲットの情報に基づき上記ユーザ装置に対して与えられるべきデータレートを割り当てるための制御手段と、
を備えた通信システムのためのベースステーション。
【発明の詳細な説明】
【０００１】
【技術分野】
本発明は、通信システムのチャンネルに係り、より詳細には、無線チャンネルの適応に係るが、これに限定されない。
【０００２】
【背景技術】
通信システムは、典型的に、システムの種々の要素が何を行うことが許されそしてそれをどのようにして達成すべきか、即ち通信の基礎となる技術を規定した所定の規格又は仕様書に基づいて動作する。通信システムは、１つ以上の通信ネットワークを備えている。通信ネットワークは、セルラーネットワークである。セルラーシステムは、通常セルと称するアクセスエンティティより成り、従ってセルラーシステムという名前で呼ばれる。
【０００３】
セルラーシステムの特徴は、そこに契約する移動ステーションに移動を与えることである。即ち、移動ステーションは、セル内を移動でき、あるセルから別のセルへ移動でき、そして両ネットワークが移動ステーションの適応規格に合致する場合にはあるセルラーネットワークから別のセルラーネットワークへも移動できる。
【０００４】
異なるセルラー規格及び／又は仕様は、例えば、ＧＳＭ（移動通信用のグローバルシステム）又は種々のＧＳＭベースのシステム（汎用パケット無線サービスＧＰＲＳのような）、ＥＤＧＥ（ＧＳＭエボリューション用のエンハンストデータレート）、或いはＣＤＭＡ又はＷＣＤＭＡ（コード分割多重アクセス又はワイドバンドＣＤＭＡ）ベースの第３世代テレコミュニケーションシステム、例えば、ユニバーサル移動テレコミュニケーションシステム（ＵＭＴＳ）、ｉ−Ｐｈｏｎｅ、ＩＳ−９５、及びＩＭＴ２０００（インターナショナルモービルテレコミュニケーションシステム２０００）、等々の規格を含むが、これらに限定されない。異なる規格において使用される用語は、互いに異なることが明らかである。
【０００５】
上述したように、アクセスエンティティは、セルによって形成される。セルとは、ワイヤレスインターフェイスを介してセルカバレージエリア内のユーザ装置（ＵＥ）にサービスしているベーストランシーバステーション（ＢＴＳ）によりカバーされるあるエリアとして定義することができる。ベースステーションは、無線アクセスネットワーク（ＲＡＮ）の一部分を形成する。セルのサイズは、システム及び環境に依存することが明らかである。しかしながら、通常、各セルには、少なくとも１つのベースステーションが設けられる。通信システムの１つのアクセスエンティティ（セル又は他のサービスエリアのような）内のユーザ装置（ＵＥ）とベースステーションとの間の通信は、通常、１つ又は多数のコントローラにより制御される。コントローラノードは、例えば、無線ネットワークコントローラ（ＲＮＣ）のようなアクセスネットワークコントローラと、サービングＧＰＲＳサポートノード（ＳＧＳＮ）のようなコアネットワークコントローラを含むが、ネットワークにおいて他の制御ノードを実施することもできる。
【０００６】
ベースステーションと、移動ユーザ装置、即ち移動ステーションとの間の通信は、アップリンク方向及びダウンリンク方向の両方において行われる。「ダウンリンク」という用語は、アクセスネットワークのベースステーションから移動ユーザ装置への方向を指す。「アップリンク」という用語は、移動ユーザ装置からベースステーションへの方向を指す。ＵＭＴＳのような通信システムでは、データ流がアップリンク及び／又はダウンリンクにおいて種々の無線又はワイヤレス通信チャンネルを得経て搬送される。これらのチャンネルは、搬送チャンネルと称される。搬送チャンネルは、例えば、専用チャンネル（ＤＨＣ）、ダウンリンク共用チャンネル（ＤＳＣＨ）、アップリンク共用チャンネル（ＵＳＣＨ）及び共通パケットチャンネル（ＣＰＣＨ）を含むが、それらに限定されない。
【０００７】
共用搬送チャンネルの一例を与えるために、第３世代パートナーシッププロジェクト（３ＧＰＰ）によるＷＣＤＭＡ規格のリリース９９は、ダウンリンク共用チャンネル（ＤＳＣＨ）及び物理的ダウンリンク共用チャンネル（ＰＤＳＣＨ）のような共用チャンネルを定義している。これらから、ＤＳＣＨは論理的チャンネルである。ＰＳＣＨは、エアインターフェイスを経てのＤＳＣＨの物理的関係である。データ送信レートのようなパラメータは、以下、ビットレートと称され、そしてチャンネルに対して送信電力を定義することができる。ユーザビットレートは、ネットワークコントローラによって定義されるか、又はベースステーションにより定義される。ビットレート値は、例えば、１０２４、５１２、２５６、１２８、６４、３２及び１６ｋｂｐｓ（キロビット／秒）である。送信電力レベルは、アプリケーションに応じて、ベースステーション及び／又はネットワークコントローラによりセットされ、或いは移動ステーションによってもセットされる。電力レベルの制御に加えて、制御ファンクションは、とりわけ、通信システムの搬送チャンネルにデータを送信するために割り当てられるビットレートを制御すること等々を含む。
【０００８】
物理的ダウンリンク共用チャンネル（ＰＤＳＣＨ）のビットレート及び電力の選択は、多少自由に行うことができる。その１つの理由は、ダウンリンクでは、ユーザ装置がビットレート又は電力選択手順に関与しなくてもよいからである。これは、ネットワーク側で、例えば、ベースステーション又は無線ネットワークコントローラによって行われる。しかしながら、選択された搬送フォーマットを移動ステーションへシグナリングする必要があり、従って、適当なネットワーク要素が、ダウンリンクに対してどんなビットレートが使用されるかユーザ装置に通知する。さもなければ、ユーザ装置は、受信した信号をいかにデコードするか知らない。情報は、いわゆるダウンリンク搬送フォーマット指示ビットを使用することにより送信することができる。
【０００９】
ワイヤレスインターフェイスを経てマルチメディアを搬送することのできるアプリケーション、例えば、第３世代の通信システムでは、ダウンリンクが、現在のところ、最も制約のある送信方向であると考えられる。これは、主に、現在のマルチメディアアプリケーションではトラフィックが通常非対称的であるためにそのようになると思われる。即ち、全部ではないがほとんどのアプリケーションにおいて、ダウンリンクの方が、アップリンクよりも実質的に大きな負荷がかかることになる。
【００１０】
ダウンリンクの容量を改善する可能性は、適当なリンク適応メカニズムを使用することである。リンク適応メカニズムとは、一般に、異なるユーザに異なるデータ送信容量を与えることのできるメカニズムを指す。例えば、データは、ベースステーションに接近した移動ユーザに向かって高いビットレートで送信することができ、そして更に離れた移動ユーザに向かって低いビットレートで送信することができる。リンク適応は、通常、無線リソース管理（ＲＲＭ）ファンクションを向上させるために使用される。無線リソース管理は、セルにおける測定電力レベル及び／又はセルにおける干渉のような種々のパラメータに基づいて行われる。しかしながら、本発明者は、共用チャンネル及びバーストデータでは、無線リソース管理に使用されるこれらのパラメータが実質的に著しく変動することが分かった。これは、システムの負荷が非常に不安定であることを意味する。このため、低い最大負荷限界を使用しなければならず、これは、システム容量の減少を招く。
【００１１】
【発明の開示】
本発明の実施形態は、公知のリンク適応技術の１つ又は多数の問題に対処することに向けられる。
本発明の１つの特徴によれば、通信システムのステーションと通信するときに通信チャンネルを共用するユーザ装置に対して共通のデータレートターゲットを定義し、ユーザ装置と上記ステーションとの間の通信に使用される平均送信電力を決定し、そしてその決定された平均送信電力及び上記共通データレートターゲットの情報に基づいて上記ユーザ装置に対して割り当てられるデータレートを設定するという段階を備えた通信システムにおける方法が提供される。
【００１２】
本発明の別の特徴によれば、ステーションと、他のユーザ装置と共用する少なくとも１つの通信チャンネルを経て上記ステーションと通信することのできるユーザ装置と、上記少なくとも１つの共用通信チャンネルを使用する全てのユーザ装置に対して共通のデータレートターゲットを定義するための制御手段と、上記ユーザ装置と上記ステーションとの間の通信に使用される平均電力を決定するための手段と、その決定された平均電力及び上記共通のデータレートターゲットの情報に基づき上記ユーザ装置に対して与えられるべきデータレートを割り当てるための制御手段を備えた通信システムが提供される。
【００１３】
本発明の更に別の特徴によれば、少なくとも２つのユーザ装置で共用される少なくとも１つの通信チャンネルを経てユーザ装置に向かって送信するための送信手段と、上記少なくとも１つの共用通信チャンネルを使用する全てのユーザ装置に対して共通のデータレートターゲットを定義するための制御手段と、上記ユーザ装置に向かって通信するのに使用される平均電力を決定するための手段と、その決定された平均電力及び上記共通のデータレートターゲットの情報に基づいて上記ユーザ装置に対して与えられるべきデータレートを割り当てるための制御手段を備えた通信システムのためのベースステーションが提供される。
【００１４】
本発明の更に特定の実施形態では、上記割り当てられるデータレートは、上記ユーザ装置とステーションとの間の距離に依存し、この距離は、上記決定された平均電力に基づいて決定される。上記依存性は、上記ユーザ装置が、別の離れたユーザ装置より上記ステーションに接近して配置された場合に、その離れたユーザ装置より高いデータレートが上記ユーザ装置に与えられるというものである。ベースステーションに実質的に接近していると決定されたユーザ装置には、上記共通のデータレートターゲットであるか又はその共通データレートターゲットに実質的に接近したデータレートが与えられる。
【００１５】
上記平均電力は、ユーザ装置により使用される通信チャンネルに関連する専用チャンネルに関連した情報に基づいて決定される。それとは別に又はそれに加えて、上記平均電力は、パーチ（Ｐｅｒｃｈ）チャンネルに関連した情報に基づいて決定されてもよい。上記情報は、上記チャンネルの電力を含む。
上記データレートターゲットは、ネットワークがプランニング又はアップグレードされるときに定義される。上記データレートターゲットは、適応性である。
上記データレートは、上記ステーションのコントローラ及び／又は上記ユーザ装置のコントローラにより調整される。上記平均送信電力は、上記ステーションが上記ユーザ装置に向けて送信する平均送信電力である。或いは又、上記平均電力は、上記ステーション又はユーザ装置が受信する平均電力である。
【００１６】
本発明の実施形態は、リンク適応のための解決策を与える。この解決策は、共用チャンネルの適応に対して特に効果的である。これら実施形態は、干渉の変動を減少し、従って、全システム性能を改善する。これら実施形態は、ユーザスループット及び全データ送信容量を改善する。例えば、ベースステーションに接近した移動ユーザには、ベースステーションから離れた移動ユーザよりも高いデータ送信レートを与えることができ、これにより、高いセルスループットが与えられる。平均送信電力、即ちベースステーションが生じる干渉は、公知解決策よりも一層安定に保たれる。これは、ネットワークの動作を改善し、ネットワークに対して高い負荷ターゲットを許す。これは、ひいては、システムの容量を高めることができる。
【００１７】
【発明を実施するための最良の形態】
本発明を良く理解するために、添付図面を参照して一例として説明する。
図１は、セルラー通信ネットワークのセルを概略的に示す。このネットワークは、例えば、ワイドバンドコード分割多重アクセス（ＷＣＤＭＡ）技術をベースとする第３世代ユニバーサル移動テレコミュニケーションサービス（ＵＭＴＳ）ネットワークであるが、これに限定されない。セルは、ベースステーションＢＳを備えている。ベースステーションＢＳには、その動作を制御するためのコントローラ手段１０が設けられるのが好ましい。ベースステーションＢＳは、４つの移動ステーションＭＳ１ないしＭＳ４とワイヤレス通信するように示されている。これら移動ステーションは、ベースステーションから異なる距離に配置されて示されており、移動ステーションＭＳ１は、ベースステーションＢＳに最も接近した移動ステーションであり、そして移動ステーションＭＳ４は、ベースステーションＢＳから最も離れた移動ステーションである。
【００１８】
図１のセルは、ベースステーションＢＳからの距離に基づいて異なるビットレートゾーンに分割されることが明らかである。ベースステーションＢＳと移動ステーションＭＳ１ないしＭＳ４との間のデータ送信レートの調整は、各移動ステーションとベースステーションとの間の所要送信電力に基づいて行われる。この調整は、ベースステーションＢＳのコントローラ１０の制御のもとで行われる。データ送信に対して同じビットレートが使用される場合には、離れた移動ステーションほど、大きな電力が必要とされる。一方、高いビットレートを使用すべき場合には、低いビットレートより大きな電力が必要とされる。
【００１９】
システムが全ての移動ステーションに対して電力を同じレベルに維持しようと試みるときには、ベースステーションから離れた方の移動ステーションがベースステーションに近い方の移動ステーションよりも低いビットレートになる。従って、セルは、仮想的に多数のゾーン１ないし４に分割され、これら仮想ゾーンの各々において異なるビットレートが使用される。
【００２０】
移動ステーションＭＳ１ないしＭＳ４の位置に基づいてデータレートを直接的に調整するのではなく、データレートとベースステーションＢＳからの距離との間の依存性は、距離を表わす適当なパラメータをベースとすることができる。このパラメータは、用途にもよるが、直線的でもよいし又は対数的でもよい。
【００２１】
本発明の好ましい実施形態では、ベースステーションの平均送信電力が測定される。各移動ステーションに対して使用される平均送信電力は、ベースステーションＢＳにより測定されるのが好ましい。この測定は、コントローラエンティティ１０の制御のもとで取り扱われる。この平均送信電力に基づいて、移動ステーションがベースステーションに対していかに接近して（又は離れて）位置するか決定することができる。次いで、その測定された平均送信電力に基づき決定された距離に基づいてワイヤレスインターフェイスを経てのデータ送信レートが調整される。この送信データレートは、ある移動ステーションへのあるリンクの測定された平均送信電力をベースとしてもよい。
【００２２】
以下、図４を参照し、第３世代のＷＣＤＭＡシステムの共用チャンネルに関する実施形態を説明する。現在、ＷＣＤＭＡベースのシステムは、約２Ｍビット／ｓまでのデータレート即ちビットレート値が可能である。ＷＣＤＭＡベースのシステムでは、多数のダウンリンク共用チャンネルユーザを時間ドメインにおいて単一の共用チャンネルにマルチプレクスすることができる。専用共用チャンネル（ＤＳＣＨ）は、各ユーザが、それに対して異なる搬送フォーマットを設定できるようにする。搬送フォーマットは、ベースステーションと移動ステーションとの間でワイヤレスインターフェイスを経てデータを送信するのに使用されるべきビットレートを定義するのに使用される。ＤＳＣＨの電力及びビットレート制御は、ベースステーションのコントローラによって制御が取り扱われるようにして実施される。ＤＳＣＨの電力及びビットレートは、実質的に迅速に変更することができる。それ故、ここに提案するリンク適応は、専用共用チャンネル（ＤＳＣＨ）に特に良く適すると考えられる。
【００２３】
好ましい実施形態では、ユーザ平均ベースステーション送信電力が測定され、そして移動加入者（即ち移動ステーション）が有するビットレートが、その測定結果に関する情報に基づいて設定される。特定の共用チャンネルを経て送信を行う全ての移動ステーションに対しビットレートターゲットを共通の値に設定することができる。このターゲットは、セットポイントと称することもある。一般的に述べると、ターゲットは、接続に対して望まれる値を指し、そしてベースステーションと移動ステーションとの間の接続に含まれる１つ以上の要素が到達しようと試みる値である。
【００２４】
ターゲットは、例えば、ネットワークプランニング中に設定され、或いはその後の時間中、例えば、ネットワークアップグレード中に設定される。
又、ターゲットは、セルの負荷状態、即ち使用可能な又は使用される容量に基づいて、ゆっくり適応されるように構成される。適応ターゲットは、アクセスネットワークコントローラにより制御される。アクセスネットワークコントローラは、ベースステーションコントローラ１０、又はアクセスネットワークを制御する別のコントローラ、例えば、無線ネットワークコントローラ（ＲＮＣ）により形成される。適応制御は、予め定められたそして好ましくは短い時間周期（例えば、数個のデータフレーム）にわたりターゲットが一定に保たれるように、不連続であるのが好ましい。
【００２５】
ベースステーションＢＳに比較的接近したユーザの場合は、ビットレートが、設定ビットレートターゲット値、例えば、ＰｔｘＴａｒｇｅｔＤＳＣＨに実質的に接近するように設定される。実質的に離れた移動ステーション、例えば、移動ステーションＭＳ４では、ビットレートが、ベースステーションに接近した移動ステーションに対して与えられるレベルより実質的に低いレベルで設定される。
【００２６】
データ送信レート、即ちビットレートは、少なくとも１つの他のチャンネルにおける平均送信電力の情報に基づいて定義される。平均送信電力は、例えば、関連する専用チャンネル（ＤＣＨ）から測定することができる。ＤＣＨは、ＤＳＣＨより相当に長い時間にわたって動作を続けることができる。というのは、ＤＣＨのビットレートは、ほとんどの場合に、ＤＳＣＨのビットレートより低いからである。又、送信電力は、ＤＳＣＨアクセスの前にいわゆるパーチ（Ｐｅｒｃｈ）チャンネルから測定することもできる。パーチチャンネルとは、電力が一定である共通のパイロットチャンネルを指す。又、パーチチャンネルは、セル内の全ての移動ステーションにより測定することもできる。これは、例えば、ハンドオーバーや信号受信等に関連した測定のような種々の測定に使用される。
【００２７】
一般に、専用共用チャンネル（ＤＳＣＨ）におけるユーザのビットレートは、例えば、次の式に基づいて設定される。
2004515151.tif 000003
上記式において、Ｐｔｘ値は、専用チャンネル（ＤＣＨ）及び専用共用チャンネル（ＤＳＣＨ）の送信電力であり、そしてＥｂＮ０値は、各チャンネルのＥｂＮ０値に対応する。「ＥｂＮ０」という語は、接続に対する信号エネルギー／ノイズ比を定義するために使用される接続クオリティパラメータ値を指す。ＥｂＮ０値は、接続に対して測定することもできるし、又はＥｂＮ０値は、システムから他の仕方で得ることもでき、例えば、セル平均によるパラメータ（いわゆる「ＥｂＮ０＿ｐｌａｎｎｅｄ」）に基づいて得ることもできる。距離は、ある移動ステーションに到達するのに必要な送信電力に対するものである。従って、Ｐｔｘ＿ＤＣＨという語は、距離に依存する。
【００２８】
上記式は、必ずしも、システムにより使用される「良好」な即ち厳密なビットレート値、例えば、３２、６４、１２８ｋビット／ｓ等の値を生じないことが明らかである。従って、計算結果をある個別のビットレートに丸めることが必要となる。
図２及び３は、ある実施形態に対して得られるリンク適応結果を示す。この図に使用されるパターンは、図１のゾーン１ないし４に使用されるパターンに対応する。図２において、ビットレートＢ１は、移動ステーションＭＳ１に対して与えられるビットレートであり、ビットレートＢ２は、移動ステーションＭＳ２に対して与えられるビットレートであり、等々となる。対応的に、図３において、電力Ｐ１は、移動ステーションＭＳ１に対して与えられる平均電力であり、電力Ｐ２は、移動ステーションＭＳ２に対して与えられる平均電力であり、等々となる。
【００２９】
図２に示すように、ゾーン１内の移動ユーザＭＳ１、ひいては、セルのベースステーションＢＳに実質的に接近した移動ユーザＭＳ１には、ゾーン２ないし４内の各離れた移動ユーザＭＳ２ないしＭＳ４に与えられるより高いビットレートＢ１が与えられる。ゾーン２ないし４の３つの移動ステーションＭＳ２ないしＭＳ４に与えられる相対的なビットレートＢ２ないしＢ４は、ベースステーションＢＳと各移動ステーションとの間の距離に対応的に依存する。
【００３０】
図３に示すように、平均送信電力Ｐ１ないしＰ４、ひいては、ベースステーションＢＳにより生じる干渉は、より安定性を保つことができる。これは、ネットワークの動作を向上し、そしてより高い負荷ターゲットをネットワークに使用するのを許して、容量を高めることができるようにする。
ある実施形態では、ハードウェアリソース及び無線インターフェイス容量を、ＤＳＣＨにおける最大ビットレートに基づいて割り当てることを必要とする。
【００３１】
上記の実施形態は、ダウンリンクのための専用共用チャンネル（ＤＳＣＨ）を参照して説明した。しかしながら、本発明は、アップリンクの共用チャンネル（ＵＳＣＨ）にも適用できることが明らかである。又、本発明は、共用チャンネルを使用するシステムにおけるデュープレックス送信方法にも適用できる。これらの方法は、ＴＤＤ（時分割デュープレックス）送信モード、ＦＤＤ（周波数分割デュープレックス）送信モード、及びＳＤＤ（スペース分割デュープレックス）送信モードを含む。これら方法の各々は、ＵＭＴＳのような第３世代通信システムにおける通信に使用される。
【００３２】
平均電力は、一般に、例えば、コントローラ１０によりベースステーションの送信電力について決定される。しかしながら、移動ステーションは、異なる電力レベルでも送信し得るので、移動ステーションの平均送信電力に基づいてデータレートを調整することもできる。これらのオペレーションは、移動ステーションに関連して設けられたコントローラ、例えば、図１の移動ステーションＭＳ４のコントローラ１１によって制御することができる。これら２つの形態は、アップリンク及びダウンリンクの両方の調整に使用できる。更に、平均電力は、ベースステーションと移動ステーションとの間のアップリンク及びダウンリンクの両方の電力の決定に基づいてもよい。
【００３３】
本発明のここに例示する実施形態は、移動ステーションに関連して説明したが、本発明の実施形態は、他の適当な形式のユーザ装置にも適用できることが明らかであろう。無線インターフェイスは、Ｉｕｂインターフェイスと称されてもよいことが明らかである。又、ある規格では、ベースステーションが異なる名前で呼ばれ、例えば、「ノードＢ」と称されることも明らかである。
【００３４】
更に、本発明の実施形態は、ＷＣＤＭＡシステムに関連して説明した。本発明は、コード分割多重アクセス、周波数分割多重アクセス、時分割多重アクセス、スペース分割多重アクセス、及びそれらの混成を含むいかなるアクセス技術にも適用できる。
以上、本発明の実施形態を例示したが、特許請求の範囲に規定された本発明の範囲から逸脱せずに、多数の修正や変更がなされ得ることが明らかであろう。
【図面の簡単な説明】
【図１】
ベースステーションと、４つの異なる位置にある移動ステーションとを示す図である。
【図２】
図１の移動ステーションに割り当てられるビットレートを示す図である。
【図３】
図１の移動ステーションに関連した電力レベルを示す図である。
【図４】
本発明の一実施形態の動作を示すフローチャートである。
【図２】
2004515151.tif 000004
【図３】
2004515151.tif 000005
【図４】
2004515151.tif 000006
【国際公開パンフレット】
2004515151.tif 000007
2004515151.tif 000008
2004515151.tif 000009
2004515151.tif 000010
2004515151.tif 000011
2004515151.tif 000012
2004515151.tif 000013
2004515151.tif 000014
2004515151.tif 000015
2004515151.tif 000016
2004515151.tif 000017
2004515151.tif 000018
2004515151.tif 000019
2004515151.tif 000020
2004515151.tif 000021
2004515151.tif 000022
2004515151.tif 000023
2004515151.tif 000024
2004515151.tif 000025
2004515151.tif 000026
【国際調査報告】
2004515151.tif 000027
2004515151.tif 000028
2004515151.tif 000029